(57)【要約】【課題】攪拌ユニットを内部に有し、カップ本体内の野菜・果物の細断及び攪拌を直接行うことができる飲み物用カップを提供する。【解決手段】飲み物用カップはカップ本体１０、カップ蓋２０及び攪拌ユニット３を備える。カップ本体１０は、基壁部１１と、基壁部１１の周側から上方へ延びるとともにチャンバ１２及び開放口１３が形成された側壁１４とを有する。基壁部１１の中央部には、チャンバ１２と連通する組立孔１５が形成される。カップ蓋２０はカップ本体１０の開放口１３を覆う。攪拌ユニット３はベース３０、攪拌具４０及び位置決め部材５０を有する。ベース３０はカップ本体１０の組立孔１５上に取り付けられるとともに、チャンバ１２と連通する貫通孔３１が中央部に形成される。攪拌具４０は、貫通孔３１の孔径より小さい外径を有する直杆部４１と、直杆部４１の頂端に設けられたブレード４２と、第１の螺着部４３とを有する。【選択図】  図１
0003217074.tif 000002
【実用新案登録請求の範囲】
【請求項１】
カップ本体、カップ蓋及び攪拌ユニットを備えた飲み物用カップであって、
前記カップ本体は、基壁部と、前記基壁部の周側から上方へ延びるとともにチャンバ及び開放口が形成された側壁と、を有し、前記基壁部の中央部には、前記チャンバと連通する組立孔が形成され、
前記カップ蓋は、前記カップ本体の前記開放口を覆い、
前記攪拌ユニットは、ベース、攪拌具及び位置決め部材を有し、前記ベースは、前記カップ本体の前記組立孔上に取り付けられるとともに、前記チャンバと連通する貫通孔が中央部に形成され、前記攪拌具は、前記貫通孔の孔径より小さい外径を有する直杆部と、前記直杆部の頂端に設けられたブレードと、前記直杆部の底端に設けられた第１の螺着部と、を有し、前記位置決め部材は、底端に設けられた嵌着部と、前記嵌着部の上方中央部に設けられた第２の螺着部と、を有するとともに、前記攪拌具の前記直杆部が前記貫通孔に挿通されると、前記位置決め部材の前記第２の螺着部が前記攪拌具の前記第１の螺着部上に取り付けられ、前記攪拌具の前記直杆部が枢軸を中心に旋回可能に前記ベースの前記貫通孔中に挿通されることを特徴とする飲み物用カップ。
【請求項２】
前記攪拌ユニットは、弾性部材を有し、
前記弾性部材は、前記ベースの底端と、前記位置決め部材の頂端との間に接続され、前記攪拌具の前記直杆部に外嵌されるとともに、可撓性Ｏリングからなり、底リング部と、前記底リング部から外方へ傾きながら延びた側リング部と、を有することを特徴とする請求項１に記載の飲み物用カップ。
【請求項３】
蓋体は、頂壁の中央部に形成された穿孔と、前記穿孔に着脱自在に取付けたストローホルダと、を有し、
前記ストローホルダは、軟質プラスチック材料からなるとともに、凸接リングと、前記凸接リングから外方へ延びた管部と、前記凸接リングと前記管部との間に接続されたプレートと、前記プレートを貫通する十文字状挿通孔と、を有し、前記ストローホルダの前記管部は、前記穿孔に挿通され、前記凸接リングが前記穿孔上に係合されることを特徴とする請求項１に記載の飲み物用カップ。
【請求項４】
前記攪拌ユニットの前記ベースは、前記カップ本体の前記組立孔の底部に係止される第１のストッパ部を有することを特徴とする請求項１に記載の飲み物用カップ。
【請求項５】
前記攪拌具の前記直杆部と前記ブレードとの間には、段差が設けられ、
前記段差は、前記ベースの前記貫通孔の孔径より大きい最大外径を有するとともに、前記貫通孔上に拘束され、
前記ベースは、前記貫通孔の頂部外縁に突設される第２のストッパ部を有し、
前記第２のストッパ部は、縦断面が角錐状を呈し、その頂端の先端部が前記直杆部の前記段差上にちょうど押し当てられることを特徴とする請求項１に記載の飲み物用カップ。
【請求項６】
前記ベースの前記第２のストッパ部はリング状であることを特徴とする請求項５に記載の飲み物用カップ。
【請求項７】
前記ベースの前記第２のストッパ部は、前記貫通孔の外縁に等間隔に周設された複数の角錐体から構成されることを特徴とする請求項５に記載の飲み物用カップ。
【請求項８】
前記カップ本体は、前記開放口の周縁に設けられた外凸縁を有し、前記カップ蓋の底部外周には、凹溝が形成され、
前記外凸縁が前記カップ蓋の前記凹溝内に係合されると、前記カップ蓋が前記カップ本体を覆い、
前記カップ蓋は収納室を有し、前記収納室内に具材パッケージが収納された後、前記収納室の開口部がプラスチック膜で封止されることを特徴とする請求項１に記載の飲み物用カップ。
【請求項９】
前記位置決め部材は、前記嵌着部の頂端外縁から外方へ傾きながら延びた側着リングを有することを特徴とする請求項１に記載の飲み物用カップ。
【請求項１０】
前記カップ本体の側壁の内周面には、前記内周面の軸方向に延びた複数のリブが設けられ、
前記カップ本体の前記基壁部は、ドラム状であり、
前記基壁部の中央部には、軸管が垂直に設けられ、
前記軸管の中心部には、組立孔が形成されることを特徴とする請求項１に記載の飲み物用カップ。
【考案の詳細な説明】
【技術分野】
【０００１】
本考案は、容器に関し、特に、攪拌ユニットを内部に有し、カップ本体内の野菜・果物の細断及び攪拌を直接行うことができる飲み物用カップを提供する。
【背景技術】
【０００２】
近年、人々は健康を重視するようになってきており、飲み物のなかでもその場で作る作りたてのお茶、フレッシュジュースは人気がある。
【０００３】
作りたての飲み物でよく見かける野菜や果物などの食材から作ったジュースを例にとると、野菜・果物を細断して圧搾して暫く置くと、風味及び栄養が失われるため、このようなジュースは、従来その場でしか作れず、予め作り置きしておくことができなかった。これは、ジュースを作るスピードが遅いためである。
【０００４】
従来の飲み物用カップは、紙材料又はプラスチック材料によりチャンバを有するカップ本体に成形し、手作りのドリンクを作る場合、まず、野菜や果物などの食材を一般のジュースミキサーの攪拌容器中に投入し、ジュースミキサーにより圧搾して飲み物用カップ中へ注いでから、カップ蓋で覆うかプラスチック膜で封止し、１杯のジュースを作った。
【０００５】
上述したような従来のジュースを作る手順には（１）攪拌容器に野菜や果物などの食材を投入するステップと、（２）ジュースミキサーで細断して攪拌混合するステップと、（３）飲み物用カップに注ぎ入れるステップと、（４）攪拌容器を洗浄するステップと、を含む面倒な作業を行う必要があった。そのため、手作りドリンクを作る非常に忙しい従業員の作業負担を減らすことができる技術が求められていた。
【考案の概要】
【考案が解決しようとする課題】
【０００６】
本考案の目的は、それ自身が有する攪拌ユニットを利用し、果物を直接、細断、攪拌する作業を容易かつ迅速に行うことができる上、従来技術のように飲み物用カップへ注ぎ入れる攪拌容器を洗浄する手間が省け、飲み物を作る者の負担を減らすことができる、飲み物用カップを提供することにある。
本考案のもう一つの目的は、飲み物の自動販売機に応用し、消費者がお金を投入して取得した飲み物用カップのカップ本体内に野菜・果物などが予め充填され、自動販売機が有する攪拌用の駆動部により攪拌作業を行い、その場で新鮮な飲み物を作ることができる、飲み物用カップを提供することにある。
【課題を解決するための手段】
【０００７】
上記課題を解決するために、本考案の第１の形態によれば、カップ本体、カップ蓋及び攪拌ユニットを備えた飲み物用カップであって、前記カップ本体は、基壁部と、前記基壁部の周側から上方へ延びるとともにチャンバ及び開放口が形成された側壁と、を有し、前記基壁部の中央部には、前記チャンバと連通する組立孔が形成され、前記カップ蓋は、前記カップ本体の前記開放口を覆い、前記攪拌ユニットは、ベース、攪拌具及び位置決め部材を有し、前記ベースは、前記カップ本体の前記組立孔上に取り付けられるとともに、前記チャンバと連通する貫通孔が中央部に形成され、前記攪拌具は、前記貫通孔の孔径より小さい外径を有する直杆部と、前記直杆部の頂端に設けられたブレードと、前記直杆部の底端に設けられた第１の螺着部と、を有し、前記位置決め部材は、底端に設けられた嵌着部と、前記嵌着部の上方中央部に設けられた第２の螺着部と、を有するとともに、前記攪拌具の前記直杆部が前記貫通孔に挿通されると、前記位置決め部材の前記第２の螺着部が前記攪拌具の前記第１の螺着部上に取り付けられ、前記攪拌具の前記直杆部が枢軸を中心に旋回可能に前記ベースの前記貫通孔中に挿通されることを特徴とする飲み物用カップが提供される。
【考案の効果】
【０００８】
本考案の飲み物用カップは、野菜・果物を直接投入して直ちに細断、攪拌した後、直接、消費者に販売することができ、作る作業を容易かつ迅速に行うことができる上、従来技術のように攪拌容器を洗浄する手間が省けるため、飲み物を作る者の作業効率が高まり、消費者を待たせる時間を短縮することができる。また、本考案の飲み物用カップは、広く普及している飲み物の自動販売機に応用することができ、消費者がお金を投入して取得した飲み物用カップのカップ本体内に野菜・果物などが予め充填され、消費者の食用習慣に依り、カップ蓋を開いて砂糖、ミルク、氷などの具材を加えてから再びカップ蓋で覆い、自動販売機が有する駆動部により、細断、粉砕、攪拌作業を行い、その場で新鮮な飲み物を作ることができる。
【図面の簡単な説明】
【０００９】
【図１】図１は、本考案の一実施形態に係る飲み物用カップを示す分解斜視図である。
【図２】図２は、本考案の一実施形態に係る飲み物用カップを示す組立断面図である。
【図３】図３は、攪拌ユニットをカップ本体に取り付けたときの状態を示す部分拡大図である。
【図４】図４は、本考案の一実施形態に係る飲み物用カップのカップ蓋及びストローホルダを示す上面図である。
【図５】図５は、本考案の一実施形態に係る飲み物用カップのカップ蓋及びストローホルダを示す断面拡大図である。
【図６】図６は、本考案の一実施形態に係る飲み物用カップのベースの第２のストッパ部が複数の角錐体により構成された状態を示す上面図である。
【図７】図７は、本考案の一実施形態に係る飲み物用カップの位置決め部材を示す底面図である。
【図８】図８は、本考案の一実施形態に係る飲み物用カップのカップ本体に具材パッケージが収容された状態を示す断面図である。
【考案を実施するための形態】
【００１０】
以下、本考案の実施形態について図に基づいて説明する。なお、これによって本考案が限定されるものではない。
【００１１】
図１及び図２を参照する。図１及び図２に示すように、本考案の一実施形態に係る飲み物用カップは、少なくともカップ本体１０、カップ蓋２０及び攪拌ユニット３から構成されてなる。
【００１２】
カップ本体１０は、基壁部１１と、基壁部１１の周側から上方へ延びてチャンバ１２及び開放口１３が形成された側壁１４と、を有する。基壁部１１の中央部には、チャンバ１２と連通する組立孔１５が形成されている。本実施形態において、カップ本体１０の基壁部１１は、ドラム状である。基壁部１１の中央部には、軸管１６が垂直に設けられる。軸管１６の中心部には、組立孔１５が形成される。カップ本体１０の側壁１４の内周面には、内周面の軸方向に延びた複数のリブ１７が設けられ、各リブ１７によりチャンバ１２内で回流する流体を乱して高い混合攪拌効果を得る。
【００１３】
カップ蓋２０は、カップ本体１０の開放口１３を覆うとともに、頂壁２１の中央部に形成された穿孔２２と、穿孔２２に着脱自在に取付けたストローホルダ２３と、を有する。図４及び図５を参照する。図４及び図５に示すように、ストローホルダ２３は、軟質プラスチック材料からなるとともに、凸接リング２３１と、凸接リング２３１から外方へ延びた管部２３２と、凸接リング２３１と管部２３２との間に接続されたプレート２３３と、プレート２３３を貫通する十文字状挿通孔２３４と、を有する。ストローホルダ２３の管部２３２は、穿孔２２内部に挿通させ、凸接リング２３１が穿孔２２上に係合され、ストロー１００を挿入して使用することができる。ストロー１００をプレート２３３に接触させ、十文字状挿通孔２３４から挿入すると、プレート２３３が自然に外方へ開き、十文字状挿通孔２３４が自然に大きくなってストロー１００を挟持し、カップ内の飲み物を飲むことができる。
【００１４】
図２を参照する。図２に示すように、カップ本体１０は、開放口１３の周縁に設けられた外凸縁１８を有する。カップ蓋２０の底部外周には、凹溝２４と、凹溝２４下の凸部２５と、が設けられ、カップ蓋２０を凸部２５から押し入れ、外凸縁１８をカップ蓋２０の凹溝２４内に係合させ、カップ蓋２０でカップ本体１０を覆う。
【００１５】
図１及び図３を参照する。図１及び図３に示すように、攪拌ユニット３は、ベース３０、攪拌具４０及び位置決め部材５０を有する。ベース３０は、カップ本体１０の組立孔１５上に取り付けられ、チャンバ１２と連通する貫通孔３１を中央部に有する。攪拌具４０は、貫通孔３１の孔径より小さい外径を有する直杆部４１と、直杆部４１の頂端に設けられたブレード４２と、直杆部４１の底端に設けられた第１の螺着部４３と、を有する。位置決め部材５０は、底端に設けられた嵌着部５１と、嵌着部５１の上方中央部に設けられた第２の螺着部５２と、嵌着部５１の頂端外縁から外方へ傾きながら延びた側着リング５３と、を有する。図７を参照する。図７に示すように、嵌着部５１は三角形状である。攪拌具４０の直杆部４１が貫通孔３１に挿通されると、位置決め部材５０の第２の螺着部５２が攪拌具４０の第１の螺着部４３上に取り付けられ、攪拌具４０の直杆部４１が枢軸を中心に旋回可能にベース３０の貫通孔３１中に挿通される。
【００１６】
また、攪拌具４０の直杆部４１とブレード４２との間には段差４４が形成される。段差４４の最大外径がベース３０の貫通孔３１の孔径より大きく、段差４４が貫通孔３１上に拘束される。ベース３０は、組立孔１５の底部に係止される第１のストッパ部３２と、貫通孔３１の頂部外縁に突設される第２のストッパ部３３と、を有する。本実施形態において、第２のストッパ部３３は、リング状であり、縦断面が角錐状を呈し、その頂端の先端部３３１が直杆部４１の段差４４上にちょうど押し当てられ、攪拌具４０の挿入位置が拘束される。図６を参照する。図６に示すように、ベース３０の第２のストッパ部３３は、貫通孔３１の外縁に等間隔に周設された複数の角錐体３３２から構成され、前述の押し当て作用が得られる上、各角錐体３３２間の複数の空隙部３３３により直杆部４１の接触面積を減らし、攪拌具４０が旋回する際に発生する抵抗力を減らすことができる。
【００１７】
図１及び図３を参照する。図１及び図３に示すように、攪拌ユニット３は、弾性部材６０を有する。弾性部材６０は、ベース３０の底端と、位置決め部材５０の頂端との間に接続され、攪拌具４０の直杆部４１に外嵌されて防漏作用が得られる。弾性部材６０は、可撓性Ｏリングからなり、底リング部６１と、底リング部６１から外方へ傾きながら延びた側リング部６２と、を有する。攪拌具４０と位置決め部材５０とが螺着された後、攪拌具４０と位置決め部材５０とは弾性部材６０を適宜加圧して圧縮する。
【００１８】
そのため、手作りドリンクの業者が新鮮な野菜・果物のドリンクを作るとき、野菜・果物の具材をカップ本体１０のチャンバ１２に投入し、カップ蓋２０で覆い、カップ本体１０全体をジュースミキサー２００上に直接置くと、図２及び図３に示すように、カップ本体１０底部に位置する位置決め部材５０の嵌着部５１がジュースミキサー２００の駆動部２１０に係合され、攪拌作業を行うことができる。位置決め部材５０が前述した駆動部２１０により旋回されると、攪拌具４０が同時に駆動し、ベース３０の貫通孔３１中で旋回すると、攪拌具４０のブレード４２により野菜・果物の細断、粉砕、攪拌、混合を行うとともに、攪拌過程で食材がカップ本体１０の内周壁のリブ１７に当たるため高い混合・攪拌効果が得られ、１杯の新鮮な飲み物３００を速やかに作り、攪拌が完了した後、飲み物３００が盛られたカップ本体１０をジュースミキサー２００から直接取り外して速やかに消費者へ販売することができるため使用し易い上に操作も簡単である。また、本実施形態は、従来技術のように手間と時間のかかるジュースミキサーの攪拌容器の洗浄を行う必要はない。
【００１９】
上述したことから分かるように、本考案の飲み物用カップは、野菜・果物を直接投入して直ちに攪拌し、攪拌が完了した後、直接、消費者に販売することができ、作る作業を容易かつ迅速に行うことができる上、従来技術のように攪拌容器から飲み物用カップに注いで、攪拌容器を洗浄する手間が省けるため、飲み物を作る者の作業効率が高まり、消費者を待たせる時間を短縮することができる。
【００２０】
また、本考案の飲み物用カップは、広く普及している自動販売機にも応用できる。例えば、消費者がお金を投入して取得した飲み物用カップのカップ本体１０内に予め野菜・果物が充填され、食用習慣に依り、カップ蓋２０を開いて砂糖パッケージ、ミルクパッケージ、氷などの具材を加えてから再びカップ蓋２０で覆い、自動販売機が有する駆動部２１０（図２を参照する）により攪拌作業を行い、その場で新鮮な飲み物を作ることができる。
【００２１】
図８を参照する。図８に示すように、カップ蓋２０の収納室２６内に、砂糖、ミルク、クッキー、タピオカ、果肉、果粒、氷などが入った具材パッケージ４００を設置した後、カップ蓋２０を封止膜４１０で覆い、具材パッケージ４００がカップ蓋２０内に収納されているため、消費者は選択して食用することができる。
【００２２】
また、位置決め部材５０の嵌着部５１の外形は、ジュースミキサー２００の駆動部２１０の外形に対応し、両者を嵌着することができる限り、その外形が矩形、三角形、錐形、逆錐形その他の形状であっても前述と同様の使用目的及び効果が得られるが、ここでは別途図面を加えて説明することを省略する。
【符号の説明】
【００２３】
３  攪拌ユニット
１０  カップ本体
１１  基壁部
１２  チャンバ
１３  開放口
１４  側壁
１５  組立孔
１６  軸管
１７  リブ
１８  外凸縁
２０  カップ蓋
２１  頂壁
２２  穿孔
２３  ストローホルダ
２４  凹溝
２５  凸部
２６  収納室
３０  ベース
３１  貫通孔
３２  第１のストッパ部
３３  第２のストッパ部
４０  攪拌具
４１  直杆部
４２  ブレード
４３  第１の螺着部
４４  段差
５０  位置決め部材
５１  嵌着部
５２  第２の螺着部
５３  側着リング
６０  弾性部材
６１  底リング部
６２  側リング部
１００  ストロー
２００  ジュースミキサー
２１０  駆動部
２３１  凸接リング
２３２  管部
２３３  プレート
２３４  十文字状挿通孔
３００  飲み物
３３１  先端部
３３２  角錐体
３３３  空隙部
４００  具材パッケージ
４１０  封止膜
【図１】
0003217074.tif 000003
【図２】
0003217074.tif 000004
【図３】
0003217074.tif 000005
【図４】
0003217074.tif 000006
【図５】
0003217074.tif 000007
【図６】
0003217074.tif 000008
【図７】
0003217074.tif 000009
【図８】
0003217074.tif 000010